(57)【要約】  【課題】本発明は、搬送される連続の加工媒体にレーザ光を照射して所定数の微小孔を形成する加工を行うレーザ加工システムに関し、連続加工媒体の加工表面に対して傾斜角度毎に制御を必要とせずに各傾斜角度の微小孔形成を容易とすることを目的とする。  【解決手段】連続加工媒体１２を懸架する媒体懸架部２２〜２７における各一組のローラ部のローラ配置で当該連続加工媒体１２を水平、右上がり又は左下がりの角度とさせ、これを所望角度毎に配置させてそれぞれの対応する角度の連続加工媒体１２の加工領域に対応するそれぞれのレーザ照射手段３２Ａ〜３２Ｃにより垂直方向からレーザ照射させて所定数の微小孔を当該連続加工媒体１２の厚さ方向に対して対応角度で形成させる構成とする。  【選択図】  図１
2008272833.tif 000002
【特許請求の範囲】
【請求項１】
搬送される連続加工媒体に対し、レーザ光を照射して当該連続加工媒体の厚さ方向に対して所定角度の微小孔を所定数形成するための加工を行うレーザ加工システムであって、
前記連続加工媒体を一組のローラ部で懸架し、当該一組のローラ部のローラ配置で当該連続加工媒体を水平、右上がり又は左下がりの角度とさせるもので、所望の角度毎に所定数備えられる媒体懸架部と、
前記媒体懸架部毎に配置され、各媒体懸架部で所定角度とされている前記連続加工媒体の加工領域に垂直方向からのレーザ照射により当該角度の前記微小孔を所定数形成する所定数のレーザ照射手段と、
少なくとも、前記所定数のレーザ照射手段のそれぞれに対して加工データに基づいて駆動するものであり、対応の前記媒体懸架部で懸架される前記連続加工媒体の角度に応じた当該加工データでそれぞれの当該レーザ照射手段を駆動する制御処理手段と、
を有することを特徴とするレーザ加工システム。
【発明の詳細な説明】
【技術分野】
【０００１】
本発明は、搬送される連続の加工媒体にレーザ光を照射して所定数の微小孔を形成する加工を行うレーザ加工システムに関する。
【背景技術】
【０００２】
近年、用紙等の加工媒体にレーザ光を照射してレーザ加工することが盛んになってきている。レーザ加工の適用例としては、例えば透かし形成や偽造防止加工等があり、当該加工媒体に厚さ方向の貫通孔を形成する場合の他に、当該厚さ方向に対して斜め方向に形成することも行われている。このような斜め方向の貫通孔の形成を容易とすることが望まれている。
【０００３】
従来、用紙等の加工媒体にレーザ光を照射して所定の加工を行うものとして、例えば、偽造防止加工を行うものとして、以下の特許文献に記載されているものが知られている。
【０００４】
【特許文献１】特開２００３−１１５５８号公報
【０００５】
上記特許文献に記載されているレーザ加工は、真贋判定用の識別マークを３つの異なる角度でレーザ光を照射して透設した微小孔の集合体で形成するものであり、当該３つの異なる角度としては厚さ方向に対して、斜め（左下がり）、垂直、斜め（右下がり）とすることが開示されている。
【発明の開示】
【発明が解決しようとする課題】
【０００６】
ところで、上記特許文献において、真贋判定用の識別マークを３つの異なる角度で形成する場合に、固定されたレーザ照射角度（加工媒体の厚さ方向に対して垂直方向）に対して加工媒体（商品券）を当該角度で傾斜させることが示されている。加工媒体の所定角度での傾斜は実施可能であるが、重要なことは傾斜角度毎に制御を必要とせずに各傾斜角度の微小孔形成を容易とすることである。
【０００７】
すなわち、本発明は上記課題に鑑みなされたもので、連続加工媒体に対して傾斜角度毎に制御を必要とせずに各傾斜角度の微小孔形成を容易とするレーザ加工システムを提供することを目的とする。
【課題を解決するための手段】
【０００８】
上記課題を解決するために、請求項１の発明では、搬送される連続加工媒体に対し、レーザ光を照射して当該連続加工媒体の厚さ方向に対して所定角度の微小孔を所定数形成するための加工を行うレーザ加工システムであって、前記連続加工媒体を一組のローラ部で懸架し、当該一組のローラ部のローラ配置で当該連続加工媒体を水平、右上がり又は左下がりの角度とさせるもので、所望の角度毎に所定数備えられる媒体懸架部と、前記媒体懸架部毎に配置され、各媒体懸架部で所定角度とされている前記連続加工媒体の加工領域に垂直方向からのレーザ照射により当該角度の前記微小孔を所定数形成する所定数のレーザ照射手段と、少なくとも、前記所定数のレーザ照射手段のそれぞれに対して加工データに基づいて駆動するものであり、対応の前記媒体懸架部で懸架される前記連続加工媒体の角度に応じた当該加工データでそれぞれの当該レーザ照射手段を駆動する制御処理手段と、を有する構成とする。
【発明の効果】
【０００９】
本発明によれば、連続加工媒体を懸架する媒体懸架部における各一組のローラ部のローラ配置で当該連続加工媒体を水平、右上がり又は左下がりの角度とさせ、これを所望角度毎に配置させてそれぞれの対応する角度の連続加工媒体の加工領域に対応するそれぞれのレーザ照射手段により垂直方向からレーザ照射させて所定数の微小孔を対応角度で形成させる構成とすることにより、形成する微小孔に対する所望の角度毎のローラ配置によって連続加工媒体を構成簡易で所定角度とさせることができ、連続加工媒体に水平、右上がり又は左下がりの角度の微小孔を容易に形成させることができるものである。
【発明を実施するための最良の形態】
【００１０】
以下、本発明の最良の実施形態を図により説明する。
図１に、本発明に係るレーザ加工システムの概略構成図を示す。図１において、レーザ加工システム１１は、用紙、フィルム等の連続状態の連続加工媒体１２を供給する供給手段１３より搬送手段３１で駆動される巻取手段１４（折り込みでもよい）の間で媒体懸架部２２〜２７が配置され、当該連続加工媒体１２が各媒体懸架部２２〜２７に対応の角度（後述する）で支持されて懸架される。なお、連続加工媒体１２には、加工領域毎にタイミングマークが付されている。
【００１１】
また、媒体懸架部２２，２３間の加工領域Ｓ１の上方には第１レーザ照射手段３２Ａがレーザ光を垂直下方に照射させるべく配置され、媒体懸架部２４，２５間の加工領域Ｓ２の上方には第２レーザ照射手段３２Ｂがレーザ光を垂直下方に照射させるべく配置され、媒体懸架部２６，２７間の加工領域Ｓ３の上方には第３レーザ照射手段３２Ｃがレーザ光を垂直下方に照射させるべく配置される。
【００１２】
上記各レーザ照射手段３２Ａ〜３２Ｃは、連続加工媒体１２にレーザ光を照射することにより厚さ方向に対して所定角度の微小孔を所定数形成するもので、図示しないが、レーザ発生機構およびスキャン機構を備えた既存のシステムを使用することができる。上記レーザ発生機構は、例えば既存のレーザ発生の機構によりＣＯ2レーザ、ＹＡＧレーザ等の適宜選択されたレーザ光を発生させる。また、スキャン機構は、レーザ加工の種類により、例えば一次元的にレーザ光をスキャンする場合にはポリゴンミラースキャン機構やミラーおよび集光レンズ構成部の一次元移動機構等が採用され、二次元的にレーザ光をスキャンさせる場合にはガルバノスキャン機構が採用される。
【００１３】
上記各媒体懸架部２２〜２７は、連続加工媒体１２を互いの一組の角度設定ローラ部で懸架し、当該一組の角度設定ローラ部のローラ配置で当該連続加工媒体１２を所定角度とさせるものである。すなわち、媒体懸架部２２，２３は、角度設定ガイドローラ２２Ａ，２２Ｂ，２３Ａ，２３Ｂで構成され、ガイドローラ２２Ａ，２３Ａ間で連続加工媒体１２を左下がり斜め（例えば４５度）に設定させる。そして、ガイドローラ２２Ａ，２２Ｂ間に当該連続加工媒体１２に付されたタイミングマークを検出する第１センサ３５Ａが設けられるものである。
【００１４】
また、媒体懸架部２４，２５は、角度設定ガイドローラ２４Ａ，２４Ｂ，２５Ａ，２５Ｂで構成され、ガイドローラ２４Ａ，２５Ａ間で連続加工媒体１２を水平状態に設定させる。そして、ガイドローラ２４Ａ，２４Ｂ間に当該連続加工媒体１２に付されたタイミングマークを検出する第２センサ３５Ｂが設けられる。さらに、媒体懸架部２６，２７は、角度設定ガイドローラ２６Ａ，２６Ｂ，２７Ａ，２７Ｂで構成され、ガイドローラ２６Ａ，２７Ａ間で連続加工媒体１２を右下がり斜め（例えば４５度）に設定させる。そして、ガイドローラ２６Ａ，２６Ｂ間に当該連続加工媒体１２に付されたタイミングマークを検出する第３センサ３５Ｃが設けられるものである。
【００１５】
ここで、図２に、本システムを駆動制御するための制御処理手段のブロック構成図をします。図２において、制御処理手段４１は、適宜設定加工データを入力するための入力手段４２が接続されるもので、少なくとも、レーザ照射手段３２（３２Ａ〜３２Ｃ）を所定の加工データ及びセンサ３５（３５Ａ〜３５Ｃ）からの検出信号に基づいて駆動すると共に、連続加工媒体１２の搬送を制御するもので、制御手段５１、バス５２、インタフェース（ＩＦ）５３、加工データファイル作成手段５４、レーザ照射制御手段５５および搬送制御手段５６を適宜備える。
【００１６】
上記制御手段５１は、このシステムの駆動制御を統括するもので、そのためのプログラムを格納する。上記ＩＦ５３は搬送手段３１、レーザ照射手段３２（３２Ａ〜３２Ｃ）及びセンサ３５との信号授受、並びに入力手段４２からのデータ入力との整合性をとるためのものである。上記加工データファイル作成手段５４は、上記入力手段４２より入力される加工位置等の設定加工データに基づく加工データファイルを作成する。上記レーザ照射制御手段５５は、上記作成された加工データファイル及びセンサ３５（３５Ａ〜３５Ｃ）に基づいてレーザ照射位置、照射タイミング、レーザパワー等の加工データをレーザ照射手段３２Ａ〜３２Ｃに送出する。そして、上記搬送処理手段５８は、例えば予め設定された搬送速度で連続加工媒体１２を搬送するための駆動制御信号を生成して上記搬送手段３１に出力するものである。
【００１７】
そこで、図３に、図２のシステムによるレーザ加工処理のフローチャートを示す。ここで、レーザ照射による加工データは、上記入力手段４２より入力される設定加工データに基づいて、加工データファイル作成手段５４が加工データファイルを作成し、レーザ照射制御手段５５が当該加工データファイル及び各センサ３５Ａ〜３５Ｃからの検出信号に基づいてレーザ照射手段３２Ａ〜３２Ｃにレーザ照射制御信号を出力するものである。
【００１８】
図３において、まず、搬送される連続加工媒体１２に付されたタイミングマークが第１センサ３５Ａにより検出されると（Ｓ１１）、所定時間後にレーザ照射制御手段５５が、当該連続加工媒体１２における第１搬送領域Ｓ１での加工領域Ｐ１に左下がり斜め（例えば４５度）の微小孔を形成加工するための加工データを加工データファイルより抽出し、レーザ照射制御信号として第１レーザ照射手段３２Ａに出力することで垂直方向にレーザ光を照射させて、当該左下がり斜めの微小孔を順次形成させる（Ｓ１２）。
【００１９】
つづいて、搬送される連続加工媒体１２に付されたタイミングマークが第２センサ３５Ｂにより検出されると（Ｓ１３）、所定時間後にレーザ照射制御手段５５が、当該連続加工媒体１２における第２搬送領域Ｓ２での加工領域Ｐ２に厚さ方向に対して垂直方向の微小孔を形成加工するための加工データを加工データファイルより抽出し、レーザ照射制御信号として第２レーザ照射手段３２Ｂに出力することで垂直方向にレーザ光を照射させて、当該垂直方向の微小孔を順次形成させる（Ｓ１４）。
【００２０】
さらにつづいて、搬送される連続加工媒体１２に付されたタイミングマークが第３センサ３５Ｃにより検出されると（Ｓ１５）、所定時間後にレーザ照射制御手段５５が、当該連続加工媒体１２における第３搬送領域Ｓ３での加工領域Ｐ３に右下がり斜め（例えば４５度）の微小孔を形成加工するための加工データを加工データファイルより抽出し、レーザ照射制御信号として第３レーザ照射手段３２Ｃに出力することで垂直方向にレーザ光を照射させて、当該右下がり斜めの微小孔を順次形成させるものである（Ｓ１６）。
【００２１】
このように、形成する微小孔の所望の角度毎にローラ配置によって連続加工媒体１２を所定角度とさせることができ、レーザ照射手段３２（３２Ａ〜３２Ｃ）の内部構成の変更を行わずに、当該連続加工媒体１２に対して所定角度の微小孔を容易に形成させることができるものである。
【産業上の利用可能性】
【００２２】
本発明のレーザ加工システムは、連続加工媒体への偽造防止用や透かし形成用等の微小孔を、レーザ光を照射して行うシステムに利用可能である。
【図面の簡単な説明】
【００２３】
【図１】本発明に係るレーザ加工システムの概略構成図である。
【図２】本システムを駆動制御するための制御処理手段のブロック構成図である。
【図３】図２のシステムによるレーザ加工処理のフローチャートである。
【符号の説明】
【００２４】
１１            レーザ加工システム
１２            連続加工媒体
１３            供給手段
１４            巻取手段
２２〜２７      媒体件株
３１            搬送手段
３２            レーザ照射手段
３５            センサ
４１            制御処理手段
【図１】
2008272833.tif 000003
【図２】
2008272833.tif 000004
【図３】
2008272833.tif 000005